(57)【要約】【課題】  蓋体上面に受け止め用突起物を設けることなく、載置した物が滑り落ちず、載置物への配線、接続物の収納も容易なキャビネット。【解決手段】  キャビネット前板と、キャビネット前板と対向するキャビネット背板と、キャビネット背板に蝶着され、キャビネット前板とキャビネット背板との間の空間の上面のキャビネット背板がある側を覆う第１蓋体と、第１蓋体と蝶着されるか、他の蓋体を介して第１蓋体と蝶着され、当該空間の上面のキャビネット前板がある側を覆う第２蓋体とを有する蓋と、当該蓋よりも下部に設けられるものであり、第２蓋体の上面が斜め前方又は前方を向いた状態で、第２蓋体の先端部を載置するために使用される載置用突起部と、当該蓋よりも下部に設けられるものであり、載置用突起部よりもキャビネット前板がある側に設けられ、第２蓋体の上面に載置された載置物を受け止めるために使用される受け止め用突起物とを備える。【選択図】図２
2012110654.tif 000002
【特許請求の範囲】
【請求項１】
キャビネット前板と、
前記キャビネット前板と対向するキャビネット背板と、
前記キャビネット背板に蝶着され、前記キャビネット前板と前記キャビネット背板との間の空間の上面の前記キャビネット背板がある側を覆う第１蓋体と、前記第１蓋体と蝶着されるか、他の蓋体を介して前記第１蓋体と蝶着され、前記空間の上面の前記キャビネット前板がある側を覆う第２蓋体とを有する蓋と、
前記蓋よりも下部に設けられるものであり、前記第１蓋体と前記第２蓋体とが折り曲げられ且つ前記第２蓋体の上面が斜め前方又は前方を向いた状態で、前記第２蓋体の先端部を載置するために使用される載置用突起部と、
前記蓋よりも下部に設けられるものであり、前記載置用突起部よりも前記キャビネット前板がある側に設けられ、前記第２蓋体の上面に載置された載置物を受け止めるために使用される受け止め用突起物とを備えることを特徴とするキャビネット。
【請求項２】
前記蓋よりも下部に設けられた受け部を更に備え、
前記載置用突起物と前記受け止め用突起物は、前記受け部において、上方に突出するように設けられた突起物であることを特徴とする請求項１に記載のキャビネット。
【請求項３】
前記受け止め用突起部は、上部に滑り止め部材が設けられることを特徴とする請求項２に記載のキャビネット
【請求項４】
前記受け部は、前記キャビネットの前後方向に移動可能な状態で、前記キャビネットに保持されることを特徴とする請求項２または３に記載のキャビネット。
【請求項５】
前記第２蓋体の下面であって、前記キャビネット前板がある側には、蓋体前板が設けられ、
前記蓋体前板と前記第２蓋体の先端部とで形成される部分が、前記載置用突起部の上部に載置された時に、前記第２蓋体の先端部が前記受け止め用突起部に接触せず、且つ前記第２蓋体の上面を含む平面が、前記受け止め用突起部の前記載置用突起部と対向する側面と交差することを特徴とする請求項１乃至４に記載のキャビネット。
【発明の詳細な説明】
【技術分野】
【０００１】  本発明は、キャビネットの最上部の収納構造に関する。
【背景技術】
【０００２】  従来、ピアノ等鍵盤楽器では安全性、経済性の観点から天板を山折れ構造としたものは、例えば実開昭６１−１２８６９８がある。
【発明の概要】
【発明が解決しようとする課題】
【０００３】  しかしながら、山折れ構造の蓋体に立てかけた載置した物を、滑り落ちないように受け止めことは出来ない。蓋体の上面にかかる物を受け止めるための突起物を設ければ、かかる物の受け止めは可能であるが、閉じた時に蓋体の上面から突出する。【０００４】  また、蓋体上面を載置台とした場合載置した物品に接続する異型の物品が存在する場合、その有効な収納手段は提供されていなかった。【０００５】  したがって本発明の目的は、上面の蓋体が開閉可能であり、且つ蓋体の上面に受け止め用の突起物を設けることなく、蓋体を立てかけた時に、蓋体に載置した物が滑り落ちないキャビネットを提供することである。【０００６】  また、蓋体上面を載置台とした場合載置した物品に接続する異型の物品が存在する場合の収納手段をもったキャビネットを提供することである。
【課題を解決するための手段】
【０００７】  本発明に係るキャビネットは、キャビネット前板と、キャビネット前板と対向するキャビネット背板と、キャビネット背板に蝶着され、キャビネット前板とキャビネット背板との間の空間の上面のキャビネット背板がある側を覆う第１蓋体と、第１蓋体と蝶着されるか、他の蓋体を介して第１蓋体と蝶着され、当該空間の上面のキャビネット前板がある側を覆う第２蓋体とを有する蓋と、当該蓋よりも下部に設けられるものであり、第１蓋体と第２蓋体とが折り曲げられ且つ第２蓋体の上面が斜め前方又は前方を向いた状態で、第２蓋体の先端部を載置するために使用される載置用突起部と、当該蓋よりも下部に設けられるものであり、載置用突起部よりもキャビネット前板がある側に設けられ、第２蓋体の上面に載置された載置物を受け止めるために使用される受け止め用突起物とを備える。【０００８】  第２蓋体を斜め前方又は前方を向いた状態で立てかけた場合に、第２蓋体の上面に載置した電子機器などの載置物を受け止め用突起部で受け止める。このため、第２蓋体を立てかけた時に、第２蓋体の上面に載置した物が滑落しないように、第２蓋体の上面に受け止め用の突起物を設ける必要がなく、蓋（第１蓋体や第２蓋体）を閉じた時に、上面をフラットにすることが出来る。【０００９】  好ましくは、当該蓋よりも下部に設けられた受け部を更に備え、載置用突起物と受け止め用突起物は、受け部において、上方に突出するように設けられた突起物である。【００１０】  さらに好ましくは、受け止め用突起部は、上部に滑り止め部材が設けられる。【００１１】  電子機器などの載置物の底面が接触する受け止め用突起部上部（上面または載置用突起部と対向する側面）の表面には、ゴムなどの滑り止め部材を設けてもよく、載置物が滑って移動したり落下したりするのを防止することが可能になる。【００１２】  さらに好ましくは、受け部は、キャビネットの前後方向に移動可能な状態で、キャビネットに保持される。【００１３】  受け部を移動させることにより、受け部の載置用突起部の上部に先端部が載置された第２蓋体の傾斜度合いを調整することが可能になる。【００１４】  また受け部自体の一部を載置用皿として使用しつつ、受け部下部にさらに収納空間を設けてその空間の蓋として利用することが可能となる。【００１５】  さらに好ましくは、第２蓋体の下面であって、キャビネット前板がある側には、蓋体前板が設けられ、蓋体前板と第２蓋体の先端部とで形成される部分が、載置用突起部の上部に載置された時に、第２蓋体の先端部が受け止め用突起部に接触せず、且つ第２蓋体の上面を含む平面が受け止め用突起部の載置用突起部と対向する側面と交差する。【００１６】  第２蓋体の先端部と受け止め用突起部との間には隙間が出来るため、ケーブルを、第２蓋体の下を通って、載置物（電子機器）に接続し、当該ケーブルを電源などに接続することにより、当該載置物（電子機器）に電力を供給したり信号を送受信したりすることが可能になる。
【発明の効果】
【００１７】  上面の蓋体が開閉可能であり、且つ蓋体の上面に受け止め用の突起物を設けることなく、蓋体を立てかけた時に、蓋体に載置した物が滑り落ちないキャビネットであり、【００１８】  さらに載置したものへの配線が容易で、配線機器の収納にも有効なキャビネットを提供する。
【図面の簡単な説明】
【００１９】
【図１】キャビネット全体の斜視図、断面図
【図２】キャビネット上部、蓋体を開いたときの斜視図、断面図、受け部のみ斜視図
【図３】キャビネット上部、蓋体を閉じたときの斜視図、断面図
【図４】受け部を前板側に置いたときの断面図
【図５】受け部を背板側に移動したときの断面図
【図６】受け止め用突起部の代替として、受け部上部に突起のあるシートを敷いたときの受け部斜視図、キャビネット上部斜視図、断面図。
【図７】受け止め用突起部であるコの字型突起の代替形状としての小突起を用いた時の斜視図、断面図
【図８】蓋体前板の代替形状としての突起を用いた時のキャビネット上部斜視図、同断面図
【図９】第２蓋体の先端部を、載置用突起部と受け止め用突起部の間、若しくは載置用突起部に載置し、配線用に欠きこみを入れたときの斜視図、断面図
【図１０】載置用突起部と受け止め用突起部を一体化した時の、受け部斜視図、キャビネット上部断面図
【図１１】受け部上部に突起のあるシートを断続的に敷置した時の受け部斜視図、キャビネット上部斜視図、同断面図。
【発明を実施するための形態】
【００２０】  以下、本実施形態におけるキャビネットの構成について、図を用いて説明する。本実施形態に係るキャビネットは、第１蓋体１１、第２蓋体１２、蓋体前板１２ａ、キャビネット前板１３、第１キャビネット側板１４ａ、第２キャビネット側板１４ｂ、キャビネット背板１５、受け部２１（受け部平板２１ａ、第１突起部２２ａ、第２突起部２２ｂ、第３突起部２２ｃ）、第１受け部引っ掛け棒２３ａ、第２受け部引っ掛け棒２３ｂ、収納部底板２６を備える。
【００２１】  キャビネット前板１３、第１キャビネット側板１４ａ、第１キャビネット側板１４ａと対向する第２キャビネット側板１４ｂ、キャビネット前板１３と対向するキャビネット背板１５は、キャビネットの側面を形成する。
【００２２】  方向を説明するため、キャビネット前板１３、キャビネット背板１５が並べられる水平方向をｘ方向とし、ｘ方向に垂直で、且つ第１キャビネット側板１４ａ、第２キャビネット側板１４ｂが並べられる水平方向をｙ方向とし、ｘ方向、ｙ方向に垂直な鉛直方向をｚ方向とする。
【００２３】  キャビネットの上面（キャビネット前板１３とキャビネット背板１５との間の空間の上面）は、開閉可能な第１蓋体１１、第２蓋体１２で構成される。
【００２４】  第１蓋体１１は、第１蝶番１１ａを介して、第１蓋体１１とキャビネット背板１５とのなす角が変えられるように、キャビネット背板１５の上部に取り付けられる（蝶着される）。
【００２５】  第２蓋体１２は、第２蝶番１１ｂを介して、第１蓋体１１と第２蓋体１２とのなす角が変えられるように、第１蓋体１１に取り付けられる（蝶着される）。
【００２６】  第２蓋体１２の下面であって、キャビネット前板１３がある側には、ｙ方向に延びｚ方向下向きに突出する直方体形状の蓋体前板１２ａが設けられる。
【００２７】  第１蓋体１１と第２蓋体１２とが、キャビネット前板１３などのキャビネットの側面と垂直になった時に、第１蓋体１１と第２蓋体１２とによってキャビネットの上面が閉じた状態になる。
【００２８】  第１蓋体１１とキャビネット背板１５とのなす角が９０度よりも大きくなり、第１蓋体１１と第２蓋体１２とのなす角が１８０度よりも小さくなるように、第１蓋体１１と第２蓋体１２とがｙ方向側面から見て「く」の字状に折り曲げられた時に、キャビネットの上面の一部（または全部）が開いた状態になる。
【００２９】  このときに、蓋体前板１２ａと第２蓋体１２の先端部とで形成されるＬ字形状部分を、後述する載置用突起部（第１突起部２２ａの上部に載置することで、第２蓋体１２が、第２蓋体１２の上面が斜め前方若しくは前方を向いた状態で、立てかけられる。
【００３０】  蓋体前板１２ａと第２蓋体１２の先端部（キャビネット前板１３がある側の先端）とで形成されるｙ方向側面から見てＬ字形状部分が、後述する第１突起部２２ａに載置されて、キャビネットの上面の一部が開いた状態が維持される。
【００３１】  第１キャビネット側板１４ａの内側には、ｘ方向に延びる引っ掛け棒（第１受け部引っ掛け棒２３ａ）が設けられ、第２キャビネット側板１４ｂの内側には、ｘ方向に延びる引っ掛け棒（第２受け部引っ掛け棒２３ｂ）が設けられ、これらの下方に収納部底板２６が設けられる。
【００３２】  第１受け部引っ掛け棒２３ａ、第２受け部引っ掛け棒２３ｂから下で、収納部底板２６より上の空間は、物を収納する空間として使用される。特に、キャビネット前板１３と平行な板で、前方と後方とを区切った場合には、後方は、第２蓋体１２の上面に載置する電子機器に関連するケーブルなどを収納するスペース（第１空間３１）として活用し、前方は、他の物を収納するスペース（第２空間３２）として活用することが可能になる。
【００３３】  第１受け部引っ掛け棒２３ａ、第２受け部引っ掛け棒２３ｂには、受け部２１がｘ方向に移動可能な状態で取り付けられる。
【００３４】  受け部２１は、受け部平板２１ａ、第１突起部２２ａ、第２突起部２２ｂ、第３突起部２２ｃを有する。受け部平板２１ａは、ｙ方向に延びる平板で、ｘ方向に移動可能な状態で側部が第１受け部引っ掛け棒２３ａと第２受け部引っ掛け棒２３ｂに取り付けられる。受け部平板２１ａの上に、ｙ方向に延びｚ方向上向きに突出する第１突起部２２ａ、第２突起部２２ｂ、第３突起部２２ｃが取り付けられる。キャビネット背板１５がある側から、ｘ方向に向けて、第１突起部２２ａ、第２突起部２２ｂ、第３突起部２２ｃが並べられる。
【００３５】  第１突起部２２ａは、ｘ方向側面から見て「コ」の字状の部材で、電子機器に関連するケーブルを巻きつけ長さを調節したりすることもできる。
【００３６】  第２突起部２２ｂは、ｙ方向側面から見てキャビネット背板１５と対向する側が斜辺を有する台形の四角柱形状を有する部材である。第２突起部２２ｂの上部（上面と、第１突起部２２ａと対向する側の側面）の表面には、ゴムなどの滑り止め部材を設けてもよい。
【００３７】  第３突起物２２ｃは、直方体形状を有する部材である。
【００３８】  蓋体前板１２ａと第２蓋体１２の先端部とで形成されるＬ字形状部分が、第１突起部２２ａ（載置用突起部）の上部に載置された時に第２蓋体１２の先端部が第２突起部２２ｂ（受け止め用突起部）に接触せず且つ第２蓋体１２の上面を含む平面が第２突起部２２ｂ（受け止め用突起部）の第１突起部２２ａ（載置用突起部）と対向する側面（斜辺）と交差するように、蓋体前板１２ａの第２蓋体１２への取り付け位置、第１突起部２２ａ、第２突起部２２ｂの受け部平板２１ａへの取り付け位置や、第１突起部２２ａ、第２突起部２２ｂの寸法が決定される。
【００３９】  蓋体前板１２ａと第２蓋体１２の先端部とで形成されるＬ字形状部分が、第１突起部２２ａ（載置用突起部）の上部に載置され、携帯電話などの電子機器が第２蓋体１２の上面に載置された時には、電子機器の背面が第２蓋体１２の上面に接触し、電子機器の底面が第２突起部２２ｂ（受け止め用突起部）の上面又は第１突起部２２ａ（載置用突起部）と対向する側面（斜辺）と接触した状態で、電子機器が受け止められるため、安定的に電子機器を載置することが可能になる。
【００４０】  特に、電子機器の底面が接触する第２突起部２２ｂの上部（上面または第１突起部２２ａと対向する側面）の表面には、ゴムなどの滑り止め部材を設けてもよく、載置された電子機器が滑ってｙ方向に移動したり落下したりするのを防止することが可能になる。
【００４１】  また、受け部２１は、図４、図５に示すようにｘ方向に移動可能であるため、受け部２１を移動させることにより、受け部２１の第１突起部２２ａの上部に先端部が載置された第２蓋体１２の傾斜度合いを調整することが可能になるとともに受け部２１自体の一部を載置用皿状空間２５として使用しつつ、受け部下部にさらに収納のための第１空間３１、第２空間３２を設けてその空間の蓋として利用することが可能となる。
【００４２】  また、第２蓋体１２の先端部と第２突起部２２ｂとの間には隙間２４が出来るため、第１空間３１に収納されたケーブルを、第２蓋体１２と受け部平板２１ａとの間を通って、電子機器に接続し、当該ケーブルを電源などに接続することにより、当該電子機器に電力を供給したり信号を送受信したりすることが可能になる。
【００４３】  また、受け部平板２１ａ上であって第２突起部２２ｂと第３突起部との間の皿状空間２５も、物を収納するスペースとして活用することが可能になる。
【００４４】  受け止め用第２突起部と接触しない状態で、第２蓋体１２を立てかけ、且つ第２蓋体１２の上面に載置した電子機器を受け止め用第２突起部の上部で受け止めるため、第２蓋体１２の上面に、電子機器を受け止めるための突起物を設ける必要がなく、第１蓋体１１と第２蓋体１２とを閉じた時に、上面をフラットにすることが出来る。
【００４５】  なお、受け止め用第２突起部と接触しない状態で、第２蓋体１２を立てかける形態として、載置用第１突起部の上部に蓋体前板１２ａと第２蓋体１２の先端部とで形成されるＬ字形状部分を載置する形態を説明したが、これに限るものではない。例えば、図７に示すように第１キャビネット側板１４ａや第２キャビネット側板１４ｂの内側に突起部（載置用突起部）を設け、かかる突起部に当該Ｌ字状部分を載置する形態が考えられる。
【００４６】  また、当該Ｌ字状部分を、載置用第１突起部２２ａの上部に載置することで、第２蓋体１２を上面が斜め前方を向いた状態で立てかけることが出来るが、図８のように蓋体前板１２ａを設けずに、突起を設ける方法や図９のように、第２蓋体１２の先端部を、載置用突起部としての第１突起部２２ａと受け止め用突起部としての第２突起部２２ｂの間（若しくは載置用突起部としての第２突起部２２ｂに載置する形態であってもよい。但し、この場合には、第２蓋体１２の先端部が、第２突起部２２ｂの第１突起部２２ａと対向する側面または受け部平板２１ａに接触することもあるため、第２蓋体先端部に切り込みを入れる等してケーブル配線のための隙間を確保したり、第２蓋体を容易にキャビネット本体上で開け閉めするための手がかりが必要にある。
【００４７】  また、キャビネット上面の蓋は、２つの蓋体（第１蓋体１１と第２蓋体１２）で構成される形態に限定されるものではなく、３つ以上の蓋体で構成され（キャビネット前板１３に近い第２蓋体１２とキャビネット背板１５に近い第１蓋体１１との間に１以上の蓋体が設けられ）、それぞれが蝶番を介して接続される形態であってもよい。
【００４８】  また、受け部２１の突起部は３つ（第１突起部２２ａ、第２突起部２２ｂ、第３突起部２２ｃ）で構成される形態に限定されるものではなく、２以上の突起部（載置用突起部と受け止め用突起部）があれば、かかる突起部の間に載置するか若しくはキャビネット背板に近い方の載置用突起部に載置することで、第２蓋体１２を立てかけることが可能になる。
【００４９】  また、図１０のように第１突起部２２ａと第２突起部２２ｂを一体化してもよい。
【００５０】  また、図６のように、弾力あるゴム状のシートでｙ方向に棒状の突起が数多く並列されたシートを受け部に使う方法や図１１のように前記ｙ方向の棒状突起もったシートを断続的に敷置し、ｘ方向にケーブルが通せるようにしてもよい
【符号の説明】
【００５１】１１  第１蓋体
１１ａ  第１蝶番
１１ｂ  第２蝶番
１２  第２蓋体
１２ａ  蓋体前板
１３  キャビネット前板
１４ａ  第１キャビネット側板
１４ｂ  第２キャビネット側板
１５  キャビネット背板
２１  受け部
２１ａ  受け部平板
２２ａ  第１突起部
２２ｂ  第２突起部
２２ｃ  第３突起部
２３ａ  部引っ掛け棒
２３ｂ  部引っ掛け棒
２４  隙間
２５  皿状空間
２６  収納部底板
３１  第１空間
３２  第２空間
【図１】
2012110654.tif 000003
【図２】
2012110654.tif 000004
【図３】
2012110654.tif 000005
【図４】
2012110654.tif 000006
【図５】
2012110654.tif 000007
【図６】
2012110654.tif 000008
【図７】
2012110654.tif 000009
【図８】
2012110654.tif 000010
【図９】
2012110654.tif 000011
【図１０】
2012110654.tif 000012
【図１１】
2012110654.tif 000013